(57)【特許請求の範囲】
【請求項１】
消費電力が異なる複数の運転モードで動作する機器の運転モードをネットワークを介して制御する制御装置であって、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、
前記機器から運転モードの問合せ要求を受信する要求受信部と、
前記要求受信部が前記問合せ要求を受信したことに応答して、前記在宅状況情報記憶部が記憶する在宅状況情報により示される前記利用者の在宅状況に応じた運転モードを示す運転モード情報を前記機器に送信する通知部と、を備える、
制御装置。
【請求項２】
高速起動モードと前記高速起動モードよりも消費電力が小さい省電力モードとを含む、消費電力が異なる複数の運転モードで動作する機器の運転モードをネットワークを介して制御する制御装置であって、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、
前記高速起動モードにおいて実行される処理を実行させる旨の実行指令を受信する実行指令受信部と、を備え、
前記送信部は、前記実行指令受信部が前記実行指令を受信したことに応答して、前記機器に前記処理を開始させる開始指令とともに、前記高速起動モードで動作することを指示する指示情報を前記機器に送信する、
制御装置。
【請求項３】
前記送信部は、前記処理が終了したことを検知したことに応答して、前記省電力モードで動作することを指示する指示情報を前記機器に送信する、
請求項２に記載の制御装置。
【請求項４】
ネットワークを介して制御装置と接続され、消費電力が異なる複数の運転モードで動作する機器であって、
前記機器の利用者の在宅状況情報に基づいて前記複数の運転モードの中から選択された運転モードで動作することを指示する指示情報を前記制御装置から受信する通信部と、
前記通信部が受信した指示情報により指示された運転モードで前記機器を動作させる制御部と、を備え、
前記複数の運転モードには、高速起動モードと前記高速起動モードよりも消費電力が小さい省電力モードとが含まれ、
前記通信部は、前記機器の動作モードが前記高速起動モードであるときに前記制御装置と通信可能であり、前記機器の動作モードが前記省電力モードであるときに前記制御装置と通信不能であり、
前記制御部は、前記機器が前記高速起動モードであるときに前記指示情報に従って前記機器の動作モードを前記省電力モードに変更した場合、前記機器の動作モードを一時的に前記高速起動モードに変更する処理と、前記通信部に運転モードの問合せ要求を前記制御装置に向けて送信させる処理と、前記問合せ要求に応答して前記制御装置から前記通信部に通知された運転モード情報により示される運転モードが前記高速起動モードであるか否かを判別する処理と、を定期的に実行し、前記運転モード情報により示される運転モードが前記高速起動モードであると判別した場合、前記機器の運転モードを前記高速起動モードに戻す、
機器。
【請求項５】
前記高速起動モードで前記機器を動作させる期間を示す期間情報を記憶する期間情報記憶部を更に備え、
前記制御部は、
前記期間情報記憶部が記憶する期間情報により示される期間の開始時期に到達したことを検知すると、前記機器を前記高速起動モードで動作させる、
請求項４に記載の機器。
【請求項６】
ネットワークを介して制御装置と接続され、高速起動モードと前記高速起動モードよりも消費電力が小さい省電力モードとを含む、消費電力が異なる複数の運転モードで動作する機器であって、
前記機器の利用者の在宅状況情報に基づいて前記複数の運転モードの中から選択された運転モードで動作することを指示する指示情報を前記制御装置から受信する通信部と、
前記通信部が受信した指示情報により指示された運転モードで前記機器を動作させる制御部と、
前記高速起動モードで前記機器を動作させる期間を示す期間情報を記憶する期間情報記憶部と、を備え、
前記制御部は、
前記期間情報記憶部が記憶する期間情報により示される期間の開始時期に到達したことを検知すると、前記機器を前記高速起動モードで動作させるとともに、
前記期間情報記憶部が記憶する期間情報により示される期間の終了時期に到達すると、前記通信部に運転モードの問合せ要求を前記制御装置に向けて送信させ、前記問合せ要求に対して前記制御装置から送信された運転モード情報を前記通信部に受信させ、前記通信部により受信された運転モード情報により示される運転モードが前記省電力モードである場合、前記機器を前記省電力モードで動作させる、
機器。
【請求項７】
消費電力が異なる複数の運転モードで動作する機器の運転モードをネットワークを介して制御する制御方法であって、
更新部が、前記機器を利用する利用者の在宅状況情報を更新するステップと、
在宅状況情報記憶部が、更新された前記利用者の在宅状況情報を記憶するステップと、
選択部が、前記在宅状況情報に基づいて、前記複数の運転モードの中から前記機器に設定する運転モードを選択するステップと、
送信部が、選択された運転モードで動作することを指示する指示情報を前記機器に送信するステップと、
要求受信部が、前記機器から運転モードの問合せ要求を受信するステップと、
通知部が、前記問合せ要求を受信したことに応答して、前記在宅状況情報により示される前記利用者の在宅状況に応じた運転モードを示す運転モード情報を前記機器に送信するステップと、を含む、
制御方法。
【請求項８】
高速起動モードと前記高速起動モードよりも消費電力が小さい省電力モードとを含む、消費電力が異なる複数の運転モードで動作する機器の運転モードをネットワークを介して制御する制御方法であって、
更新部が、前記機器を利用する利用者の在宅状況情報を更新するステップと、
在宅状況情報記憶部が、更新された前記利用者の在宅状況情報を記憶するステップと、
選択部が、前記在宅状況情報に基づいて、前記複数の運転モードの中から前記機器に設定する運転モードを選択するステップと、
送信部が、選択された運転モードで動作することを指示する指示情報を前記機器に送信するステップと、
実行指令受信部が、前記高速起動モードにおいて実行される処理を実行させる旨の実行指令を受信するステップと、
前記送信部が、前記実行指令を受信したことに応答して、前記機器に前記処理を開始させる開始指令とともに、前記高速起動モードで動作することを指示する指示情報を前記機器に送信するステップと、を含む、
制御方法。
【請求項９】
コンピュータを、
消費電力が異なる複数の運転モードで動作する機器を利用する利用者の在宅状況情報を更新する更新部、
前記更新部により更新された前記利用者の在宅状況情報を記憶する在宅状況情報記憶部、
前記在宅状況情報記憶部に記憶された在宅状況情報に基づいて、前記複数の運転モードの中から前記機器に設定する運転モードを選択する選択部、
前記選択部により選択された運転モードで動作することを指示する指示情報を前記機器に送信する送信部、
前記機器から運転モードの問合せ要求を受信する要求受信部、
前記要求受信部が前記問合せ要求を受信したことに応答して、前記在宅状況情報記憶部が記憶する在宅状況情報により示される前記利用者の在宅状況に応じた運転モードを示す運転モード情報を前記機器に送信する通知部、として機能させる、
プログラム。
【請求項１０】
コンピュータを、
高速起動モードと前記高速起動モードよりも消費電力が小さい省電力モードとを含む、消費電力が異なる複数の運転モードで動作する機器を利用する利用者の在宅状況情報を更新する更新部、
前記更新部により更新された前記利用者の在宅状況情報を記憶する在宅状況情報記憶部、
前記在宅状況情報記憶部に記憶された在宅状況情報に基づいて、前記複数の運転モードの中から前記機器に設定する運転モードを選択する選択部、
前記選択部により選択された運転モードで動作することを指示する指示情報を前記機器に送信する送信部、
前記高速起動モードにおいて実行される処理を実行させる旨の実行指令を受信する実行指令受信部、として機能させるプログラムであって、
前記送信部が、前記実行指令受信部が前記実行指令を受信したことに応答して、前記機器に前記処理を開始させる開始指令とともに、前記高速起動モードで動作することを指示する指示情報を前記機器に送信する、
プログラム。
【請求項１１】
消費電力が異なる複数の運転モードで動作する機器と、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、
前記機器から運転モードの問合せ要求を受信する要求受信部と、
前記要求受信部が前記問合せ要求を受信したことに応答して、前記在宅状況情報記憶部が記憶する在宅状況情報により示される前記利用者の在宅状況に応じた運転モードを示す運転モード情報を前記機器に送信する通知部と、を備える、
制御システム。
【請求項１２】
高速起動モードと前記高速起動モードよりも消費電力が小さい省電力モードとを含む、消費電力が異なる複数の運転モードで動作する機器と、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、
前記高速起動モードにおいて実行される処理を実行させる旨の実行指令を受信する実行指令受信部と、を備え、
前記送信部は、前記実行指令受信部が前記実行指令を受信したことに応答して、前記機器に前記処理を開始させる開始指令とともに、前記高速起動モードで動作することを指示する指示情報を前記機器に送信する、
制御システム。
【発明の詳細な説明】
【技術分野】
【０００１】
本発明は、制御装置、機器、制御方法、プログラムおよび制御システムに関する。
【背景技術】
【０００２】
消費電力を低減できる省電力モードを有する録画再生装置等のＡＶ(Ａｕｄｉｏ  Ｖｉｓｕａｌ)機器が知られている。ところが、省電力モード時における機器の起動には時間がかかり利用者の利便性を損なう場合がある。
【０００３】
これに対して、日々の時間帯別の機器の利用状況を集計する機能を備え、機器の過去の利用状況に基づくモードで動作するＡＶ機器が提案されている（例えば、特許文献１参照）。特許文献１に記載されたＡＶ機器は、外出時間帯等の利用頻度の小さい時間帯は省電力モードで動作し、在宅時間帯等の利用頻度の大きい時間帯は起動時間の短い高速起動モードで動作する。
【先行技術文献】
【特許文献】
【０００４】
【特許文献１】特開２０１３−１９８００３号公報
【発明の概要】
【発明が解決しようとする課題】
【０００５】
しかしながら、特許文献１に記載された構成では、利用者が日常とは異なる行動をとると、好ましくない事態が生じる可能性がある。例えば、利用者が日頃外出している時間帯に在宅であると、在宅しているにも関わらずＡＶ機器が省電力モードで動作してしまう。この場合、ＡＶ機器の起動時間が長くなり、利用者の利便性が損なわれる。一方、例えば、利用者が旅行等で長期間外出すると、利用者が外出中にも関わらずＡＶ機器が高速起動モードで動作してしまい、無駄に電力が消費されてしまう。
【０００６】
本発明は、上記実情に鑑みてなされたものであり、利便性を維持しつつ消費電力の低減を図ることができる制御装置、機器、制御方法、プログラムおよび制御システムを提供することを目的とする。
【課題を解決するための手段】
【０００７】
上記目的を達成するために、本発明に係る制御装置は、
消費電力が異なる複数の運転モードで動作する機器の運転モードをネットワークを介して制御する制御装置であって、
前記機器を利用する利用者の在宅状況情報を更新する更新部と、
前記更新部により更新された前記利用者の在宅状況情報を記憶する在宅状況情報記憶部と、
前記在宅状況情報記憶部に記憶された在宅状況情報に基づいて、前記複数の運転モードの中から前記機器に設定する運転モードを選択する選択部と、
前記選択部により選択された運転モードで動作することを指示する指示情報を前記機器に送信する送信部と、
前記機器から運転モードの問合せ要求を受信する要求受信部と、
前記要求受信部が前記問合せ要求を受信したことに応答して、前記在宅状況情報記憶部が記憶する在宅状況情報により示される前記利用者の在宅状況に応じた運転モードを示す運転モード情報を前記機器に送信する通知部と、を備える。
【発明の効果】
【０００８】
本発明では、機器を利用する利用者の在宅状況情報に基づいて選択された運転モードで動作することを指示する指示情報が機器に送信される。もしくは、本発明では、機器を利用する利用者の在宅状況情報に基づいて選択された運転モードであって、指示情報により指示された運転モードで機器が動作する。このため、本発明によれば、利便性を維持しつつ消費電力の低減を図ることができる。
【図面の簡単な説明】
【０００９】
【図１】実施の形態１に係る制御システムを示す図である。
【図２】実施の形態１に係る制御装置およびデジタルレコーダのハードウェア構成を示すブロック図である。
【図３】実施の形態１に係る在宅状況情報記憶部に在宅状況情報テーブルが格納されている様子を示す図である。
【図４】実施の形態１に係る予定記憶部に利用者予定テーブルが格納されている様子を示す図である。
【図５】実施の形態１に係る接続機器情報記憶部に機器情報テーブルが格納されている様子を示す図である。
【図６】実施の形態１に係る制御装置の機能構成を示すブロック図である。
【図７】実施の形態１に係る録画時刻記憶部に録画時刻テーブルが格納されている様子を示す図である。
【図８】実施の形態１に係るデジタルレコーダの機能構成を示すブロック図である。
【図９】実施の形態１に係る在宅状況情報更新処理の流れを示すフローチャートである。
【図１０】実施の形態１に係る省電力制御処理の流れを示すフローチャートである。
【図１１】実施の形態２に係る省電力制御処理の流れを示すフローチャートである。
【図１２】実施の形態２に係る制御装置とデジタルレコーダとの動作を示すシーケンス図である。
【図１３】実施の形態２に係る録画処理の流れを示すフローチャートである。
【図１４】実施の形態３に係る省電力制御処理の流れを示すフローチャートである。
【図１５】実施の形態３に係る制御装置とデジタルレコーダと携帯端末との動作を示すシーケンス図である。
【図１６】実施の形態３に係る録画処理の流れを示すフローチャートである。
【図１７】実施の形態５に係る運転モード修正処理の流れを示すフローチャートである。
【図１８】変形例に係る予定記憶部に制御予定テーブルが格納されている様子を示す図である。
【図１９】変形例に係る省電力制御処理の流れを示すフローチャートである。
【図２０】変形例に係る制御装置の機能構成を示すブロック図である。
【図２１】変形例に係る設定情報記憶部に認証テーブルが格納されている様子を示す図である。
【図２２】変形例に係る予定設定処理の流れを示すフローチャートである。
【発明を実施するための形態】
【００１０】
以下、本発明の実施の形態に係る制御装置について、添付図面を参照しながら説明する。
【００１１】
（実施の形態１）
図１に示すように、本実施の形態に係る制御システム１０００は、制御装置１００とデジタルレコーダ２００とテレビジョン受信機９００と情報通信端末３００と携帯端末４００とを備える。制御装置１００は、デジタルレコーダ２００および情報通信端末３００に、住戸Ｈ内に設けられたＬＡＮ（Ｌｏｃａｌ  Ａｒｅａ  Ｎｅｔｗｏｒｋ）等の宅内ネットワークＮＴ１を介して接続されている。制御装置１００は、例えばデジタルレコーダ２００および情報通信端末３００と有線または無線で接続されている。デジタルレコーダ２００は、信号線Ｌ１を介してテレビジョン受信機９００に接続されている。また、制御装置１００は、公衆回線等の宅外ネットワークＮＴ２を介して、携帯端末４００に接続されている。制御装置１００、デジタルレコーダ２００、テレビジョン受信機９００および情報通信端末３００は、住戸Ｈ内に配置され、携帯端末４００は、住戸Ｈ外に存在するものとする。宅内ネットワークＮＴ１は、有線ＬＡＮまたは無線ＬＡＮから構成される。
【００１２】
制御装置１００は、図２に示すように、各種情報を記憶する記憶部１０１と、各種制御を実行する制御部１０２と、宅内ネットワークＮＴ１に接続された宅内通信部１０３と、宅外ネットワークＮＴ２に接続された宅外通信部１０４と、を備える。
【００１３】
記憶部１０１は、例えばフラッシュメモリ等の読み書き可能な不揮発性の半導体メモリやハードディスクから構成される。記憶部１０１は、図２に示すように、利用者が在宅中であるか否かを示す在宅状況情報を記憶する在宅状況情報記憶部１１１と、各種予定を記憶する予定記憶部（予定情報記憶部）１１２と、宅内ネットワークＮＴ１に接続された機器に関する情報を記憶する接続機器情報記憶部１１３と、を有する。
【００１４】
在宅状況情報記憶部１１１は、図３に示すように、利用者が帰宅しているか否か（在宅状況）を示す帰宅フラグと利用者識別情報とを対応づける在宅状況情報テーブルＴＡ１１を記憶する。帰宅フラグは、例えば利用者が外出している場合はオフに設定され、利用者が帰宅している場合はオンに設定される。
【００１５】
予定記憶部１１２は、図４に示すように、将来の利用者の外出日時および帰宅日時と利用者識別情報とを対応づける利用者予定テーブル（予定情報）ＴＡ２１を記憶する。利用者予定テーブルＴＡ２１の内容は、例えば利用者が情報通信端末３００や携帯端末４００を介して予め設定する。
【００１６】
接続機器情報記憶部１１３は、宅内ネットワークＮＴ１に接続される各機器に関する情報を記憶する。接続機器情報記憶部１１３は、例えば図５に示すように、各機器の分類を示す機器分類と利用者を示す利用者識別情報と制御装置１００の制御対象であるか否かを示す制御対象フラグと固定機器か携帯機器かを区別するための携帯機器フラグと機器識別情報とを対応づける機器情報テーブルＴＡ３１を記憶する。機器分類情報としては、例えばデジタルレコーダが「０００１」、録音装置が「０００２」、情報通信端末が「０００３」というように、機器の分類毎に異なる識別番号が付与されている。１つの機器（例えば機器識別情報ＩＤＤ０が付与された情報通信端末）の利用者が複数の場合、当該機器の機器識別情報に対して複数の利用者識別情報（例えば利用者識別情報ＩＤＵ１、ＩＤＵ２）が対応づけられる。制御対象フラグは、機器が制御装置１００の制御対象であればオンに設定され、制御対象でなければオフに設定される。携帯機器フラグは、携帯機器であればオンに設定され、固定機器であればオフに設定される。携帯機器フラグがオンに設定されている機器に関する情報は、利用者が携帯する携帯機器が宅内ネットワークＮＴ１に接続されているか否かを示す接続機器情報である。
【００１７】
また、記憶部１０１は、他に、デジタルレコーダ２００またはテレビジョン受信機９００に対して省電力制御処理を実行するためのプログラム等も格納する。
【００１８】
図２に戻って、制御部１０２は、例えばＣＰＵ（Ｃｅｎｔｒａｌ  Ｐｒｏｃｅｓｓｉｎｇ  Ｕｎｉｔ）から構成されている。制御部１０２は、デジタルレコーダ２００またはテレビジョン受信機９００へ各種指令を送信することにより、デジタルレコーダ２００またはテレビジョン受信機９００の動作を制御する。制御部１０２は、計時を行うタイマ１０２ａを有する。
【００１９】
制御部１０２は、記憶部１０１に記憶されているプログラムを読み出して、省電力制御処理を実行することにより、図６に示す、各種機能を実現する。通信制御部１２１は、宅内ネットワークＮＴ１および宅内通信部１０３を介した通信制御を実行するとともに、宅外ネットワークＮＴ２および宅外通信部１０４を介した通信制御を実行する。
【００２０】
予定管理部１２２は、情報通信端末３００から宅内ネットワークＮＴ１および通信制御部１２１を介して入力される利用者の予定を利用者予定テーブルＴＡ２１に記録する。
【００２１】
機器管理部１２３は、各種機器（例えばデジタルレコーダ２００、情報通信端末３００、携帯端末４００）の宅内ネットワークＮＴ１への接続を検出すると、検出した機器に関する機器情報を機器情報テーブルＴＡ３１に記録する。例えば携帯端末４００が、宅内ネットワークＮＴ１に接続されると、機器識別情報、機器分類情報および利用者識別情報を、宅内ネットワークＮＴ１へ送出するとする。この場合、機器管理部１２３は、宅内ネットワークＮＴ１から通信制御部１２１を介して取得する、機器識別情報、機器分類情報および利用者識別情報を、機器情報テーブルＴＡ３１に記録する。
【００２２】
更新部１２４は、利用者の予定または機器情報に基づいて、在宅状況情報記憶部１１１の在宅状況情報テーブルＴＡ１１の、デジタルレコーダ２００およびテレビジョン受信機９００を利用する利用者の在宅状況情報を更新する。具体的には、更新部１２４は、利用者予定テーブルＴＡ２１を参照して、利用者予定テーブルＴＡ２１に記録されている利用者の予定と現時刻とを比較して、在宅状況情報テーブルＴＡ１１の帰宅フラグの内容を設定する。また、更新部１２４は、機器情報テーブルＴＡ３１を参照して、機器情報テーブルＴＡ３１に記録されている携帯端末（携帯機器フラグがオンに設定されている機器）４００の宅内ネットワークＮＴ１への接続状況に応じて、在宅状況情報テーブルＴＡ１１の帰宅フラグの内容を設定する。
【００２３】
機器制御部１２６は、在宅状況情報記憶部１１１に記憶される在宅状況情報に基づいて、デジタルレコーダ２００の動作を制御する。機器制御部１２６は、デジタルレコーダ２００等の被制御機器の複数の運転モード（例えば「高速起動モード」、「省電力モード」）の中から被制御機器に設定する運転モードを選択する選択部１２７と、選択部１２７により選択された運転モードで動作することを指示する運転モード情報（指示情報）を送信する送信部１２８と、を有する。
【００２４】
宅内通信部１０３は、宅内ネットワークＮＴ１に接続可能な通信装置から構成される。宅外通信部１０４は、例えば宅外ネットワークＮＴ２に接続可能な通信装置から構成される。
【００２５】
図２に戻って、デジタルレコーダ２００およびテレビジョン受信機９００は、視聴・録画動作状態と待機状態とをとりうる。ここで、待機状態とは、電力供給が行われているが、視聴動作や録画動作を実行していないいわゆる「切」の状態である。そして、待機状態には、待機状態からの起動時間の短い高速起動モードと、高速起動モード時に比べて起動時間が長く且つ消費電力が比較的少ない省電力モードと、の２種類の運転モードが存在する。また、デジタルレコーダ２００およびテレビジョン受信機９００は、制御装置１００から運転モード取得要求を受信すると、自機の運転モードを示す運転モード情報を、制御装置１００へ送信する。
【００２６】
デジタルレコーダ２００は、各種情報を記憶する記憶部２０１と、各種制御を実行する制御部２０２と、宅内ネットワークＮＴ１に接続された宅内通信部２０４と、録画を実行する録画回路２０５と、を備える。デジタルレコーダ２００は、高速起動モード時において録画回路２０５への電力を供給し続けることにより録画回路２０５をスタンバイ状態で維持する。一方、デジタルレコーダ２００は、省電力モード時において録画回路２０５への電力供給を遮断する。これにより、省電力モード時のデジタルレコーダ２００は、録画回路２０５への電力供給を遮断する分、高速起動モード時に比べて消費電力が少ない。
【００２７】
記憶部２０１は、例えばフラッシュメモリ等の読み書き可能な不揮発性の半導体メモリやハードディスクから構成される。記憶部２０１は、録画開始時刻と録画終了時刻とを記憶する録画時刻記憶部２３１と、運転モード情報を記憶する第１運転モード記憶部２３２ａおよび第２運転モード記憶部２３２ｂと、を有する。
【００２８】
録画時刻記憶部（期間情報記憶部）２３１は、図７に示すように、録画開始日時および録画終了日時と番組を識別する番組識別情報とを対応づける録画時刻テーブル（期間情報）ＴＡ９１を記憶する。録画時刻テーブルＴＡ９１は、利用者により予め設定されるものである。
【００２９】
第１運転モード記憶部２３２ａは、デジタルレコーダ２００に現に設定されている運転モードを記憶する。第２運転モード記憶部２３２ｂは、制御装置１００から受信した制御装置１００で管理される運転モード情報を記憶する。また、記憶部２０１は、他に、録画処理を実行するためのプログラム等も格納する。
【００３０】
制御部２０２は、例えばＣＰＵから構成されている。また、制御部２０２は、計時を行うタイマ２０２ａを有する。制御部２０２は、記憶部２０１に記憶されているプログラムを読み出して、録画処理を実行する。
【００３１】
制御部２０２は、記憶部２０１に記憶されているプログラムを読み出して実行することにより、図８に示す、各種機能を実現する。通信制御部（通信部）２２１は、宅内ネットワークＮＴ１および宅内通信部２０４を介した通信制御を実行する。通信制御部２２１は、例えばデジタルレコーダ２００の利用者の予定を示す利用者予定テーブルＴＡ２１に基づいて選択された運転モードで動作することを指示する運転モード情報を制御装置１００から受信する。
【００３２】
運転管理部２２２は、通信制御部２２１から入力される、制御装置１００から受信した運転モード情報を第２運転モード記憶部２３２ｂに記憶する。
【００３３】
運転制御部２２３は、録画時刻記憶部２３１が記憶する録画時刻テーブルＴＡ９１に記録されている録画開始時刻に到達すると、録画回路２０５を動作させる。また、運転制御部２２３は、録画回路２０５を動作させた後、録画時刻テーブルＴＡ９１に記録されている録画終了時刻に到達すると、録画回路２０５を停止させる。また、運転制御部２２３は、通信制御部２２１が受信した運転モード情報により指示された運転モードでデジタルレコーダ２００を動作させる。具体的には、運転制御部２２３は、第２運転モード記憶部２３２ｂが記憶する運転モード情報が高速起動モードを示す場合、録画回路２０５へ電力を供給し、運転モード情報が省電力モードを示す場合、録画回路２０５への電力供給を遮断する。
【００３４】
宅内通信部２０４は、宅内ネットワークＮＴ１のインタフェース装置から構成される。録画回路２０５は、番組を録画し、録画した番組をハードディスク等の番組記憶媒体（図示せず）に記憶させる。
【００３５】
携帯端末４００は、住戸Ｈ内に存在する場合、宅内ネットワークＮＴ１に接続され、住戸Ｈ外に移動すると（図１中の矢印参照）宅内ネットワークＮＴ１から切断される。デジタルレコーダ２００、テレビジョン受信機９００、情報通信端末３００および携帯端末４００は、いずれも宅内ネットワークＮＴ１に接続されると、自機の機器識別情報、機器分類情報および利用者識別情報を、宅内ネットワークＮＴ１を通じて制御装置１００へ送信する。
【００３６】
次に、本実施の形態に係る制御装置１００の制御部１０２が実行する、在宅状況情報を更新する在宅状況情報更新処理と、デジタルレコーダ２００等の運転モードを適宜切り替える省電力制御処理について、図９および図１０を参照しながら説明する。在宅状況情報更新処理および省電力制御処理は、例えばユーザが制御装置１００へ電源を投入したことを契機として開始される。また、在宅状況情報更新処理と省電力制御処理とは並行して実行される。
【００３７】
初めに、制御部１０２が実行する在宅状況情報更新処理について、図９を参照しながら説明する。
【００３８】
まず、更新部１２４は、予定記憶部１１２の利用者予定テーブルＴＡ２１、接続機器情報記憶部１１３の機器情報テーブルＴＡ３１それぞれから、利用者の予定と、宅内ネットワークＮＴ１に接続された機器に関する機器情報とを取得する（ステップＳ１０１）。
【００３９】
予定管理部１２２は、情報通信端末３００や携帯端末４００から新たに利用者の予定を示す利用者予定情報を受信する毎に利用者予定テーブルＴＡ２１を更新する処理を在宅状況情報更新処理と並行して実行する。また、機器管理部１２３も、新たに宅内ネットワークＮＴ１へ接続された機器を検出する毎に、検出した機器の機器識別情報等の機器に関する情報を、機器情報テーブルＴＡ３１に記録する処理を、在宅状況情報更新処理と並行して実行する。機器管理部１２３は、例えば携帯端末４００から定期的に宅内ネットワークＮＴ１へ送出される機器識別情報、機器分類情報および利用者識別情報を検出すると、携帯端末４００が宅内ネットワークＮＴ１へ接続されたと判定し、送出元の携帯端末４００に関する機器情報を機器情報テーブルＴＡ３１に記録する。
【００４０】
また、機器管理部１２３は、機器情報テーブルＴＡ３１に記録されている機器のいずれかが宅内ネットワークＮＴ１からの切断を検出する毎に、検出した機器を機器情報テーブルＴＡ３１から削除する形で機器情報テーブルＴＡ３１を更新する処理も在宅状況情報更新処理と並行して実行する。具体的には、機器管理部１２３は、機器情報テーブルＴＡ３１に記録されている機器のうち、機器識別情報、機器分類情報および利用者識別情報の宅内ネットワークＮＴ１への送出を停止した機器が検出されると、検出した機器に関する機器情報を機器情報テーブルＴＡ３１から削除する。これにより、更新部１２４は、最新の利用者の予定および最新の宅内ネットワークＮＴ１に接続された機器に関する機器情報を取得することができる。
【００４１】
次に、更新部１２４は、取得した利用者の予定および機器情報に基づいて、利用者の在宅状況が変化したか否かを判定する（ステップＳ１０２）。例えば、更新部１２４は、利用者の予定に基づいて、判定対象時刻（現時刻）が利用者の外出予定時刻以降になった場合、利用者の在宅状況が帰宅から外出へ変化したと判定する。また、更新部１２４は、取得した機器情報の中に新たに携帯端末４００の機器識別情報が含まれた場合、当該携帯端末４００の利用者の在宅状況が外出から帰宅へ変化したと判定する。更新部１２４は、利用者の予定に基づく判定結果を、機器識別情報に基づく判定結果に対して優先して処理する。例えば、更新部１２４は、機器識別情報のみによれば利用者が外出していると判定され、利用者の予定のみによれば利用者が帰宅していると判定される場合、利用者は帰宅していると判定する。
【００４２】
ステップＳ１０２において、利用者の在宅状況が変化しないと判定されると（ステップＳ１０２：Ｎｏ）、そのままステップＳ１０１の処理が実行される。一方、ステップＳ１０２において、利用者の在宅状況が変化したと判定されると（ステップＳ１０２：Ｙｅｓ）、更新部１２４は、在宅状況情報記憶部１１１の在宅状況情報テーブルＴＡ１１に記録されている帰宅フラグを更新する（ステップＳ１０３）。具体的には、更新部１２４は、在宅状況情報テーブルＴＡ１１に記録されている帰宅フラグの内容を更新する。その後、再びステップＳ１０１の処理が実行される。
【００４３】
次に、制御部１０２が実行する省電力制御処理について、図１０を参照しながら説明する。ここでは、制御装置１００が、デジタルレコーダ２００の運転モードを、起動速度の速い高速起動モードと、消費電力の少ない省電力モードのいずれかに切り替える場合について説明する。まず、選択部１２７は、在宅状況情報テーブルＴＡ１１から在宅状況情報を取得するとともに、機器情報テーブルＴＡ３１からデジタルレコーダ２００に関する機器情報を取得する（ステップＳ２０１）。具体的には、選択部１２７は、在宅状況情報テーブルＴＡ１１の帰宅フラグの内容と、機器情報テーブルＴＡ３１のデジタルレコーダ２００の利用者の利用者識別情報と、を取得する。帰宅フラグは、前述のように、利用者の予定または携帯端末４００の宅内ネットワークＮＴ１への接続状況に応じて変化する。
【００４４】
次に、選択部１２７は、デジタルレコーダ２００に対応した利用者識別情報と、取得した在宅状況情報（帰宅フラグの内容）と、に基づいて、デジタルレコーダ２００を含む被制御機器それぞれの利用者が外出しているか否かを判定する（ステップＳ２０２）。例えば、図５に示すように、機器情報テーブルＴＡ３１に記録された、デジタルレコーダ２００の利用者の利用者識別情報が「ＩＤＵ１」である場合、利用者識別情報「ＩＤＵ２」が付与された利用者が帰宅したとしても、利用者識別情報「ＩＤＵ１」が付与された利用者の帰宅フラグが「オフ」であれば、選択部１２７は外出中と判定する。
【００４５】
ステップＳ２０２において、利用者が在宅と判定されると（ステップＳ２０２：Ｎｏ）、選択部１２７は、再びステップＳ２０１の処理を実行する。
【００４６】
一方、ステップＳ２０２において、利用者が外出していると判定されると（ステップＳ２０２：Ｙｅｓ）、選択部１２７は、デジタルレコーダ２００から運転モード情報を取得することを要求する運転モード取得要求を、デジタルレコーダ２００へ送信する（ステップＳ２０３）。具体的には、選択部１２７は、通信制御部１２１および宅内ネットワークＮＴ１を通じて、デジタルレコーダ２００へ運転モード取得要求を送信する。
【００４７】
このとき、デジタルレコーダ２００では、通信制御部２２１が、制御装置１００から運転モード取得要求を受信すると、運転制御部２２３が、制御装置１００へ運転モード情報を送信する。具体的には、運転制御部２２３が、記憶部２０１の第１運転モード記憶部２３２ａが記憶するデジタルレコーダ２００の運転モードを取得し、取得した運転モードを示す運転モード情報を、通信制御部２２１へ出力する。通信制御部２２１は、運転制御部２２３から取得した運転モード情報を宅内通信部２０４および宅内ネットワークＮＴ１を介して、制御装置１００へ送信する。
【００４８】
次に、選択部１２７は、運転モード取得要求を送信してから予め設定された時間内に、デジタルレコーダ２００から運転モード情報を受信したか否かを判定する（ステップＳ２０４）。具体的には、選択部１２７は、通信制御部１２１が運転モード情報を取得したか否かを判定する。ステップＳ２０４において、運転モード情報を受信していないと判定されると（ステップＳ２０４：Ｎｏ）、そのままステップＳ２０１の処理が実行される。
【００４９】
一方、ステップＳ２０４において、運転モード情報を受信したと判定されると（ステップＳ２０４：Ｙｅｓ）、選択部１２７は、取得した運転モード情報に基づいて、デジタルレコーダ２００が省電力モードであるか否かを判定する（ステップＳ２０５）。ステップＳ２０５において、省電力モードであると判定されると（ステップＳ２０５：Ｙｅｓ）、後述のステップＳ２０７の処理が実行される。一方、ステップＳ２０５において、高速起動モードであると判定されると（ステップＳ２０５：Ｎｏ）、送信部１２８は、デジタルレコーダ２００へ省電力モードを示す運転モード情報を送信する（ステップＳ２０６）。
【００５０】
このとき、デジタルレコーダ２００では、通信制御部２２１が運転モード情報を受信すると、運転制御部２２３が、運転モードを高速起動モードから省電力モードへ変更する。具体的には、運転制御部２２３が、録画回路２０５へ電力を供給し続ける高速起動モードから、録画回路２０５への電力供給を遮断する省電力モードへ変更する。また、運転制御部２２３は、第１運転モード記憶部２３２ａに記憶されている運転モード情報を省電力モードに更新する。
【００５１】
次に、選択部１２７は、在宅状況情報記憶部１１１から在宅状況情報を取得するとともに、機器情報テーブルＴＡ３１からデジタルレコーダ２００に関する機器情報を取得する（ステップＳ２０７）。具体的には、選択部１２７は、在宅状況情報テーブルＴＡ１１の帰宅フラグの内容を取得する。
【００５２】
次に、選択部１２７は、取得した在宅状況情報に基づいて、利用者が帰宅しているか否かを判定する（ステップＳ２０８）。具体的には、選択部１２７は、取得した帰宅フラグの内容がオンに設定されているか否かを判定する。更新部１２４による利用者の在宅状況判定時が、利用者予定テーブルＴＡ２１に記録された在宅期間内であれば、帰宅フラグがオンに設定される。また、更新部１２４による利用者状態の判定時において、利用者の所持する携帯端末４００が宅内ネットワークＮＴ１に接続されており、その機器識別情報が機器情報テーブルＴＡ３１に存在すれば、帰宅フラグがオンに設定される。
【００５３】
ステップＳ２０８において、利用者が外出中と判定されると（ステップＳ２０８：Ｎｏ）、選択部１２７は、再びステップＳ２０７の処理を実行する。
【００５４】
一方、ステップＳ２０８において、利用者が帰宅していると判定されると（ステップＳ２０８：Ｙｅｓ）、送信部１２８は、高速起動モードを示す運転モード情報をデジタルレコーダ２００へ送信する（ステップＳ２０９）。その後、選択部１２７は、再びステップＳ２０１の処理を実行する。
【００５５】
このとき、デジタルレコーダ２００では、通信制御部２２１が運転モード情報を受信すると、運転制御部２２３が、運転モードを省電力モードから高速起動モードへ変更する。また、運転制御部２２３は、第１運転モード記憶部２３２ａに記憶されている運転モード情報を省電力モードに更新する。
【００５６】
以上説明したように、本実施の形態に係る制御装置１００は、選択部１２７が、利用者の予定と、宅内ネットワークＮＴ１に接続されている機器に関する機器情報とに基づいて、被制御機器の運転モードを変更するか否かを判定する。これにより、例えば利用者が宅内ネットワークＮＴ１に接続可能な携帯端末４００を所持していれば、選択部１２７は、利用者の予定のみならず、利用者の所持する携帯端末４００が宅内ネットワークＮＴ１に接続されているか否かにより利用者が住戸Ｈ内に居るか否かを間接的に判定できる。従って、利用者の在宅状況を正確に判定することができるので、消費電力の低減を図りつつ、利用者の利便性向上を図ることができる。
【００５７】
より具体的には、制御装置１００は、利用者の外出中等デジタルレコーダ２００を高速起動モードで運転する必要がない場合、デジタルレコーダ２００を省電力モードにする。これにより、デジタルレコーダ２００での無駄な電力消費を抑制できる。また、制御装置１００は、利用者の在宅中等利用者がデジタルレコーダ２００を使用しうる場合、デジタルレコーダ２００を高速起動モードにする。これにより、利用者がデジタルレコーダ２００を起動させる際の待ち時間を短縮できるので、利用者の利便性向上が図れる。
【００５８】
また、本実施の形態に係る制御装置１００によれば、デジタルレコーダ２００を利用者の在宅状況に応じて自動的に運転モードを変更させることができるので、利用者が帰宅した場合に利用者自身がデジタルレコーダ２００の運転モードを変更する操作を行う必要がなく、利用者の利便性向上を図ることができる。
【００５９】
更に、本実施の形態に係る機器情報テーブルＴＡ３１は、被制御機器毎にその利用者の利用者識別情報と対応づけて記録している。そして、選択部１２７は、機器情報テーブルＴＡ３１に記録された被制御機器と利用者識別情報との対応関係と、在宅状況情報テーブルＴＡ１１に記録された各利用者識別情報に対応する利用者の在宅状況と、に基づいて、各被制御機器の運転モードを判定する。これにより、制御装置１００は、複数の被制御機器が存在する場合、各被制御機器に対応する利用者の在宅状況に応じて各別に適切な運転モードに変更することができる。
【００６０】
（実施の形態２）
本実施の形態に係るデジタルレコーダ２００は、録画が終了すると、制御装置１００に対して、制御装置１００で管理する運転モードの問合せ要求を行う。一方、制御装置１００は、デジタルレコーダ２００からの通知要求を受けると、自装置で管理するデジタルレコーダ２００の運転モードをデジタルレコーダ２００へ通知する。本実施の形態に係る制御装置１００およびデジタルレコーダ２００の構成は、実施の形態１で図６および図８を用いて説明した制御装置１００の構成と同様である。
【００６１】
本実施の形態に係る制御装置１００の制御部１０２が実行する省電力制御処理と、デジタルレコーダ２００の制御部２０２が実行する録画処理について、図１１から図１３を参照しながら説明する。ここで、制御部１０２は、実施の形態１で説明した在宅状況情報更新処理を、省電力制御処理と並行して実行する。なお、図１１および図１２において、実施の形態１と同様の処理については、図１０と同一の符号を付している。
【００６２】
初めに、制御装置１００の制御部１０２が実行する省電力制御処理について、図１１および図１２を参照しながら説明する。図１１に示すように、まず、選択部１２７は、ステップＳ２０１およびステップＳ２０２の処理を実行し、ステップＳ２０２において、デジタルレコーダ２００の利用者が在宅と判定されたとする（ステップＳ２０２：Ｎｏ）。この場合、選択部１２７は、デジタルレコーダ２００から制御部１０２で管理するデジタルレコーダ２００の運転モードの問合せ要求を受信したか否かを判定する（ステップＳ３０１）。通信制御部１２１は、運転モードの問合せ要求を受信すると、受信した問合せ要求を記憶部１０１の予め定められた記憶領域に記憶させる。選択部１２７は、この記憶領域に問合せ要求が記憶されているか否かにより問合せ要求を受信したか否かを判定する。
【００６３】
ステップＳ３０１において、問合せ要求を受信したと判定されると（ステップＳ３０１：Ｙｅｓ）、選択部１２７は、制御部１０２で管理する運転モードを示す運転モード情報を、デジタルレコーダ２００へ送信した後（ステップＳ３０２）、ステップＳ２０１の処理を実行する。このとき、選択部１２７は、記憶部１０１に記憶されている問合せ要求を削除する。一方、ステップＳ３０１において、問合せ要求を受信しないと判定されると（ステップＳ３０１：Ｎｏ）、選択部１２７は、ステップＳ２０１の処理を実行する。
【００６４】
ここでは、例えば図１２に示すように、デジタルレコーダ２００が高速起動モードで動作しているとする（ステップＳ１０）。この場合、制御装置１００において、利用者が外出中と判定されると（ステップＳ２０２：Ｙｅｓ）、運転モード取得要求が、制御装置１００からデジタルレコーダ２００へ送信される（ステップＳ２０３）。デジタルレコーダ２００が運転モード取得要求を受信すると、デジタルレコーダ２００の運転モード情報が、デジタルレコーダ２００から制御装置１００へ送信される（ステップＳ１１）。制御装置１００では、受信した運転モード情報からデジタルレコーダ２００の運転モードが高速起動モードであると判定される（ステップＳ２０５：Ｎｏ）。この場合、省電力モードを示す運転モード情報が、制御装置１００からデジタルレコーダ２００へ送信される（ステップＳ２０６）。デジタルレコーダ２００は、運転モード情報を受信すると、運転モードを高速起動モードから省電力モードへ変更する（ステップＳ１２）。
【００６５】
図１１に戻って、選択部１２７は、ステップＳ２０６からＳ２０８の処理を実行する。ステップＳ２０８において、利用者が外出中と判定されると（ステップＳ２０８：Ｎｏ）、選択部１２７は、通信制御部１２１がデジタルレコーダ２００から運転モードの問合せ要求を受信したか否かを判定する（ステップＳ３０３）。通信制御部１２１は、問合せ要求を受信する要求受信部として機能する。ステップＳ３０３において、問合せ要求を受信したと判定されると（ステップＳ３０３：Ｙｅｓ）、機器制御部１２６が、制御部１０２で管理する運転モード情報を、デジタルレコーダ２００へ送信する（ステップＳ３０４）。具体的には、選択部１２７が、通信制御部１２１が問合せ要求を受信したことに応答して、在宅情報テーブルＴＡ１１により示される利用者の在宅状況に応じた運転モードを示す運転モード情報を選択する。そして、送信部１２８が、選択部１２７が選択した運転モード情報を、デジタルレコーダ２００に送信する。つまり、機器制御部１２６の選択部１２７と送信部１２８とが協働して、運転モード情報を通知する通知部として機能する。一方、ステップＳ３０３において、問合せ要求を受信しないと判定されると（ステップＳ３０３：Ｎｏ）、そのままステップＳ２０７の処理が実行される。
【００６６】
次に、デジタルレコーダ２００の制御部２０２の動作について、図１２および図１３を参照しながら説明する。
図１３に示すように、まず、運転制御部２２３は、録画時刻記憶部２３１が記憶する録画開始時刻を参照して、判定対象時刻（現時刻）が録画開始時刻に到達しているか否かを判定する（ステップＳ１３）。
【００６７】
運転制御部２２３は、判定対象時刻（現時刻）が録画開始時刻に到達しない限り（ステップＳ１３：Ｎｏ）、ステップＳ１３の処理を繰り返し実行する。一方、ステップＳ１３において、録画開始時刻に到達していると判定されると（ステップＳ１３：Ｙｅｓ）、運転制御部２２３は、デジタルレコーダ２００の運転モードが高速起動モードであるか否かを判定する（ステップＳ１４）。具体的には、運転制御部２２３は、記憶部２０１に記憶されている運転モード情報の内容が高速起動モードに設定されているか否かを判定する。
【００６８】
ステップＳ１４において、デジタルレコーダ２００の運転モードが高速起動モードであると判定されると（ステップＳ１４：Ｙｅｓ）、運転制御部２２３は、そのままステップＳ１６の処理を実行する。一方、ステップＳ１４において、デジタルレコーダ２００の運転モードが省電力モードであると判定されると（ステップＳ１４：Ｎｏ）、運転制御部２２３は、デジタルレコーダ２００の運転モードを高速起動モードに変更する（ステップＳ１５）。具体的には、運転制御部２２３は、録画回路２０５への電力供給を開始して録画回路２０５をスタンバイ状態で維持するとともに、記憶部２０１の第１運転モード記憶部２３２ａに記憶されている運転モードを高速起動モードに更新する。
【００６９】
続いて、運転制御部２２３は、録画を開始する（ステップＳ１６）。具体的には、運転制御部２２３が、録画回路２０５を始動させる。
【００７０】
その後、運転制御部２２３は、録画時刻記憶部２３１の録画時刻テーブルＴＡ９１に記録されている録画終了時刻を参照して、判定対象時刻（現時刻）が録画終了時刻に到達しているか否かを判定する（ステップＳ１７）。運転制御部２２３は、録画終了時刻に到達しない限り（ステップＳ１７：Ｎｏ）、録画回路２０５を動作させ続ける。一方、判定対象時刻（現時刻）が録画終了時刻に到達すると（ステップＳ１７：Ｙｅｓ）、運転制御部２２３は、録画を終了する（ステップＳ１８）。具体的には、運転制御部２２３が、録画回路２０５を停止させる。
【００７１】
次に、運転制御部２２３は、制御装置１００で管理されるデジタルレコーダ２００の運転モードの問合せ要求を、制御装置１００へ送信する（ステップＳ１９）。具体的には、運転制御部２２３は、運転モードの問合せ要求を通信制御部２２１へ出力する。そして、通信制御部２２１が、宅内通信部２０４および宅内ネットワークＮＴ１を通じて、運転モードの問合せ要求を制御装置１００へ送信する。
【００７２】
続いて、運転制御部２２３は、通信制御部２２１が制御装置１００で管理されるデジタルレコーダ２００の運転モードを示す運転モード情報を受信したか否かを判定する（ステップＳ２０）。ここで、運転管理部２２２が、制御装置１００から運転モード情報を受信すると、受信した運転モード情報を記憶部２０１の第２運転モード記憶部２３２ｂに記憶させる。運転制御部２２３は、第２運転モード記憶部２３２ｂに運転モード情報が記憶されているか否かにより運転モード情報を受信したか否かを判定する。
【００７３】
ステップＳ２０において、運転モードの問合せ要求を受信してから予め設定された時間内に運転モード情報を受信していないと判定されると（ステップＳ２０：Ｎｏ）、再びステップＳ１３の処理が実行される。一方、ステップＳ２０において、運転モード情報を受信したと判定されると（ステップＳ２０：Ｙｅｓ）、運転制御部２２３は、デジタルレコーダ２００の運転モードと、受信した運転モードとが一致しているか否かを判定する（ステップＳ２１）。具体的には、運転制御部２２３は、第１運転モード記憶部２３２ａに記憶されている運転モード情報と、第２運転モード記憶部２３２ｂに記憶されている運転モード情報とが一致するか否かを判定する。
【００７４】
例えば利用者がデジタルレコーダ２００の録画中に帰宅した場合、制御装置１００で管理するデジタルレコーダ２００の運転モードが、省電力モードから高速起動モードに変更される。この場合、デジタルレコーダ２００の運転モードと受信した運転モードとが一致する。一方、利用者がまだ外出中である場合、制御装置１００で管理するデジタルレコーダ２００の運転モードは、省電力モードのまま維持されている。この場合、デジタルレコーダ２００の運転モードと受信した運転モードとが異なることになる。
【００７５】
ステップＳ２１において、デジタルレコーダ２００の運転モード情報と、制御装置１００から通知された運転モード情報とが異なると判定されると（ステップＳ２１：Ｎｏ）、運転制御部２２３は、デジタルレコーダ２００の運転モードを変更する（ステップＳ２２）。例えばデジタルレコーダ２００の運転モードが高速起動モードであり、受信した運転モードが省電力モードであるとする。この場合、運転制御部２２３は、デジタルレコーダ２００の運転モードを省電力モードに変更するとともに、第１運転モード記憶部２３２ａが記憶する運転モード情報を省電力モードに更新する。その後、再びステップＳ１３以降の処理が実行される。
【００７６】
一方、ステップＳ２１において、デジタルレコーダ２００の運転モードと、受信した運転モードとが一致すると判定されると（ステップＳ２１：Ｙｅｓ）、そのままステップＳ１３以降の処理が実行される。
【００７７】
例えば、図１２に示すように、録画開始時刻に到達したと判定されると（ステップＳ１３：Ｙｅｓ）、デジタルレコーダ２００の運転モードが高速起動モードに設定される（ステップＳ１５）。次に、デジタルレコーダ２００において録画が開始される（ステップＳ１６）。その後、録画終了時刻に到達したと判定されると（ステップＳ１７：Ｙｅｓ）、録画が終了する（ステップＳ１８）。次に、運転モードの問合せ要求が、デジタルレコーダ２００から制御装置１００へ送信される（ステップＳ１９）。制御装置１００が運転モードの問合せ要求を受信すると、これに対応して、省電力モードであることを示す運転モード情報が、制御装置１００からデジタルレコーダ２００へ送信される（ステップＳ３０４）。すると、デジタルレコーダ２００の運転モードが、省電力モードへ変更される（ステップＳ２２）。
【００７８】
以上説明したように、本実施の形態に係る送信部１２８は、デジタルレコーダ２００から運転モードの問合せ要求を受信すると、予定記憶部１１２が記憶する利用者の予定と、接続機器情報記憶部１１３が記憶する機器情報と、に基づいて、運転モードの問合せ要求を受信した時点におけるデジタルレコーダ２００の運転モードを特定する。そして、運転制御部２２３は、通信制御部２２１が運転モード情報を受信すると、受信した運転モードとデジタルレコーダ２００の運転モードとが一致していない場合、デジタルレコーダ２００の運転モードを通知された運転モードに変更する。これにより、制御装置１００が管理するデジタルレコーダ２００の運転モードと、デジタルレコーダ２００が管理する運転モードとを、確実に一致させることができるので、制御装置１００はデジタルレコーダ２００を適切に動作させることができる。
【００７９】
本実施の形態に係るデジタルレコーダ２００では、運転制御部２２３が、録画開始時刻に到達すると、自動的に運転モードを高速起動モードへ変更する。その後、制御部２０２は、録画終了時刻に到達すると、利用者がまだ外出中である場合、自動的に省電力モードへ変更する。これにより、例えばデジタルレコーダ２００が、省電力モード時において、録画処理を実行することができない構成であっても、当該デジタルレコーダ２００に録画処理を適切に実行させることができる。
【００８０】
（実施の形態３）
本実施の形態に係る制御装置１００は、利用者が携帯端末４００を操作することにより、携帯端末４００からデジタルレコーダ２００を録画処理させる指令を受信すると、デジタルレコーダ２００に録画処理を実行させる。本実施の形態に係る制御装置１００の構成は、実施の形態１で図６を用いて説明した制御装置１００の構成と同様である。制御装置１００の記憶部１０１は、携帯端末４００からデジタルレコーダ２００に録画処理させる旨の録画指令情報（実行指令）を記憶する録画指令記憶部（図示せず）を有する。録画指令情報は、録画指令であることを識別するための指令識別情報と、録画終了時刻を示す録画終了時刻情報（時刻情報）と、を含む。そして、通信制御部（実行指令受信部）１２１が録画指令情報を受信すると、機器管理部１２３が受信した録画指令情報を録画指令記憶部に記憶する。
また、デジタルレコーダ２００の記憶部２０１も、制御装置１００から受信した録画指令を記憶する録画指令記憶部（図示せず）を有する。デジタルレコーダ２００で実行される録画は、高速起動モードにおいて実行される処理である。録画指令情報には、録画終了時刻、即ち、デジタルレコーダ２００の運転モードを省電力モードに戻す時刻が含まれる。そして、通信制御部２２１が、制御装置１００から録画指令情報（録画終了時刻情報を含む）を受信すると、運転管理部２２２が受信した録画指令情報を録画指令記憶部に記憶する。
【００８１】
本実施の形態に係る制御装置１００の制御部１０２が実行する省電力制御処理と、デジタルレコーダ２００の制御部２０２が実行する録画処理について、図１４から図１６を参照しながら説明する。ここで、制御部１０２は、実施の形態１で説明した在宅状況情報更新処理を、省電力制御処理と並行して実行する。なお、図１４および図１６において、実施の形態１または実施の形態２と同様の処理については、図１０、図１２と同一の符号を付している。
【００８２】
初めに、制御装置１００の制御部１０２が実行する省電力制御処理について、図１４および図１５を参照しながら説明する。まず、選択部１２７は、ステップＳ２０１からステップＳ２０６までの処理を実行した後、通信制御部１２１が携帯端末４００から録画指令を受信したか否かを判定する（ステップＳ４０１）。具体的には、選択部１２７は、通信制御部１２１により録画指令記憶部に録画指令情報が記憶されている場合、録画指令を受信したと判定し、録画指令情報が記憶されていない場合、録画指令を受信していないと判定する。
【００８３】
ステップＳ４０１において、録画指令を受信していないと判定すると（ステップＳ４０１：Ｎｏ）、再びステップＳ２０１の処理が実行される。一方、ステップＳ４０１において、録画指令を受信したと判定すると（ステップＳ４０１：Ｙｅｓ）、送信部１２８は、高速起動モードを示す運転モード情報を、デジタルレコーダ２００へ送信する（ステップＳ４０２）。つまり、送信部１２８は、通信制御部１２１が録画指令情報を受信したことに応答して、デジタルレコーダ２００に高速起動モードで動作することを指示する運転モード情報を送信する。この録画指令情報は、デジタルレコーダ２００に録画処理を開始させる指令（開始指令）に相当する。
【００８４】
例えば図１５に示すように、携帯端末４００において利用者が録画指令を行うための操作（録画指令操作）を行うと（ステップＳ１）、録画指令が携帯端末４００から制御装置１００へ送信される（ステップＳ２）。制御装置１００が携帯端末４００から録画指令を受信すると（ステップＳ４０１：Ｙｅｓ）、高速起動モードを示す運転モード情報が、制御装置１００からデジタルレコーダ２００へ送信される（ステップＳ４０２）。
【００８５】
続いて、選択部１２７は、録画指令情報をデジタルレコーダ２００へ送信する（ステップＳ４０３）。つまり、送信部１２８は、通信制御部１２１が録画指令情報を受信したことに応答して、デジタルレコーダ２００に録画指令情報を送信する。その後、ステップＳ２０７以降の処理が実行される。
【００８６】
次に、デジタルレコーダ２００の制御部２０２が実行する録画処理について、図１５および図１６を参照しながら説明する。
図１６に示すように、まず、運転制御部２２３は、通信制御部２２１が運転モード情報を受信したか否かを判定する（ステップＳ４１）。具体的には、運転制御部２２３は、記憶部２０１の第２運転モード記憶部２３２ｂに制御装置１００から受信した運転モード情報が記憶されているか否かを判定する。制御部２０２は、運転モード情報を受信しない限り（ステップＳ４１：Ｎｏ）、ステップＳ４１の処理を繰り返す。一方、ステップＳ４１において、運転モード情報を受信したと判定されると（ステップＳ４１：Ｙｅｓ）、制御部２０２は、ステップＳ１４、Ｓ１５の処理を実行する。
【００８７】
次に、運転制御部２２３は、録画指令を受信したか否かを判定する（ステップＳ４２）。具体的には、運転制御部２２３は、記憶部２０１の録画指令記憶部に録画指令情報が記憶されているか否かを判定する。
【００８８】
ステップＳ４２において、録画指令を受信していないと判定されると（ステップＳ４２：Ｎｏ）、再びステップＳ４１の処理が実行される。一方、ステップＳ４２において、録画指令を受信したと判定されると（ステップＳ４２：Ｙｅｓ）、運転制御部２２３は、録画を開始する（ステップＳ１６）。制御部２０２が録画指令を受信したと判定した時が、録画開始時刻となる。
【００８９】
続いて、運転制御部２２３は、録画終了時刻に到達したか否かを判定する（ステップＳ１７）。具体的には、運転制御部２２３は、録画指令記憶部が記憶する録画指令情報に含まれる録画終了時刻が、判定対象時刻（現時刻）と一致するか否かを判定する。制御部２０２は、録画終了時刻に到達しない限り（ステップＳ１７：Ｎｏ）、待機状態を維持する。一方、ステップＳ１７において、録画終了時刻に到達したと判定されると（ステップＳ１７：Ｙｅｓ）、ステップＳ１８以降の処理が実行される。
【００９０】
例えば図１５に示すように、デジタルレコーダ２００の省電力モード動作中に（ステップＳ１２）、高速起動モードを示す運転モード情報が、制御装置１００からデジタルレコーダ２００へ送信されると（ステップＳ４０２）、デジタルレコーダ２００の運転モードが高速起動モードへ変更される（ステップＳ１５）。その後、録画指令が、制御装置１００からデジタルレコーダ２００へ送信されると（ステップＳ４０３）、デジタルレコーダ２００において録画が開始される（ステップＳ１６）。録画終了時刻に到達すると（ステップＳ１７：Ｙｅｓ）、録画が終了する（ステップＳ１８）。その後、運転モードの問合せ要求が、デジタルレコーダ２００から制御装置１００へ送信される（ステップＳ１９）。ここで、利用者が外出している場合、省電力モードを示す運転モード情報が、制御装置１００からデジタルレコーダ２００へ送信される（ステップＳ３０４）。すると、デジタルレコーダ２００の運転モードが、省電力モードへ変更される（ステップＳ２２）。
【００９１】
以上説明したように、本実施の形態に係る制御装置１００によれば、利用者は、外出後、外出先から携帯端末４００を用いて、デジタルレコーダ２００へ録画指令を送信し、デジタルレコーダ２００に録画処理をさせることができる。従って、被制御機器の省電力化を実現しつつ、利用者の利便性向上を図ることができる。
【００９２】
また、本実施の形態に係る制御装置１００は、携帯端末４００から宅外ネットワークＮＴ２を通じて、録画指令を受信すると、高速起動モードを示す運転モード情報をデジタルレコーダ２００へ送信してから、録画開始指令を送信する。これにより、制御装置１００は、例えばデジタルレコーダ２００が省電力モード時において録画処理を実行できない場合でも、デジタルレコーダ２００に録画を実行させることができる。
【００９３】
更に、本実施の形態に係る送信部１２８は、デジタルレコーダ２００において録画処理が終了した後、デジタルレコーダ２００から運転モードの問合せ要求を受信すると、利用者予定テーブルＴＡ２１または機器情報テーブルＴＡ３１に基づいて特定した運転モードを、デジタルレコーダ２００へ送信する。これにより、例えば利用者が外出中である場合、送信部１２８は、省電力モードを通知するので、デジタルレコーダ２００の制御部２０２は、運転モードを省電力モードに変更する。従って、デジタルレコーダ２００での消費電力を低減させることができる。
【００９４】
（実施の形態４）
本実施の形態に係るデジタルレコーダ２００は、省電力モードで動作中、定期的に自機で管理する運転モードと、制御装置１００で管理する運転モードとを比較することにより、自機で管理する運転モードと制御装置１００で管理する運転モードとが一致するように運転モードを修正する。本実施の形態に係るデジタルレコーダ２００の構成は、実施の形態１で図２を用いて説明したデジタルレコーダ２００の構成と同様である。以下、実施の形態１と同様の構成については図２と同一の符号を用いて説明する。デジタルレコーダ２００の記憶部２０１は、制御装置１００で管理される運転モードと、デジタルレコーダ２００に現に設定されている運転モードとを確認する時刻に関する情報を記憶する運転モード確認時刻記憶部（図示せず）を有する。運転モード確認時刻記憶部は、運転モードを定期的に確認する時間間隔（確認時間間隔）および運転モードの確認を実行した時刻（確認実行時刻）それぞれを示す情報を記憶している。
【００９５】
本実施の形態に係る制御部２０２が実行する運転モード修正処理について、図１７を参照しながら説明する。制御部２０２は、運転モード修正処理を、実施の形態２または実施の形態３で説明した録画処理と並行して実行する。まず、運転制御部２２３は、運転モード確認時刻に到達したか否かを判定する（ステップＳ５１）。具体的には、運転制御部２２３は、運転モード確認時刻記憶部から、確認時間間隔と、直近の確認実行時刻とを取得する。そして、制御部２０２は、判定対象時刻（現時刻）が、直近の確認実行時刻から確認時間間隔だけ経過した時刻に一致するか否かを判定する。一致すると判定されると、制御部２０２は、運転モード確認時刻に到達したと判定する。
【００９６】
運転制御部２２３は、運転モード確認時刻に到達しない限り（ステップＳ５１）、ステップ５１の処理を繰り返す。一方、ステップＳ５１において、運転モード確認時刻に到達したと判定されると（ステップＳ５１：Ｙｅｓ）、運転制御部２２３は、自機の運転モードが高速起動モードであるか否かを判定する（ステップＳ５２）。具体的には、運転制御部２２３は、記憶部２０１の第１運転モード記憶部２３２ａが記憶する運転モードが高速起動モードであるか否かを判定する。
【００９７】
ステップＳ５２において、運転モードが高速起動モードであると判定されると（ステップＳ５２：Ｙｅｓ）、そのままステップＳ５４の処理が実行される。一方、ステップＳ５２において、運転モードが省電力モードであると判定されると（ステップＳ５２：Ｎｏ）、運転制御部２２３は、自機の運転モードを高速起動モードに変更する。このとき、運転制御部２２３は、第１運転モード記憶部２３２ａが記憶する運転モードを高速起動モードに更新する。
【００９８】
続いて、運転制御部２２３は、運転モードの問合せ要求を制御装置１００へ送信する（ステップＳ５４）。
【００９９】
その後、運転制御部２２３は、制御装置１００から運転モード情報を受信したか否かを判定する（ステップＳ５５）。ステップＳ５５において、運転モード情報を受信したと判定されると（ステップＳ５５：Ｙｅｓ）、ステップＳ５７の処理が実行される。
【０１００】
一方、ステップＳ５５において、運転モード情報を受信していないと判定されると（ステップＳ５５：Ｎｏ）、運転制御部２２３は、受信用期間が経過したか否かを判定する（ステップＳ５６）。運転制御部２２３は、受信用期間を経過しない限り（ステップＳ５６：Ｎｏ）、ステップＳ５５の処理を繰り返す。ステップＳ５６において、受信用期間が経過したと判定されると（ステップＳ５６：Ｙｅｓ）、運転制御部２２３は、デジタルレコーダ２００の運転モードと受信した運転モードとが一致するか否かを判定する（ステップＳ５７）。具体的には、運転制御部２２３は、第１運転モード記憶部２３２ａが記憶する運転モードと、第２運転モード記憶部２３２ｂが記憶する運転モードとが一致するか否かを判定する。
【０１０１】
ステップＳ５７において、デジタルレコーダ２００の運転モードと受信した運転モードとが一致すると判定されると（ステップＳ５７：Ｙｅｓ）、そのままステップＳ５１の処理が実行される。一方、ステップＳ５７において、デジタルレコーダ２００の運転モードと受信した運転モードとが一致しないと判定されると（ステップＳ５７：Ｎｏ）、運転制御部２２３は、デジタルレコーダ２００の運転モードを変更する（ステップＳ５８）。具体的には、運転制御部２２３は、例えば受信した運転モードが省電力モードである場合、デジタルレコーダ２００の運転モードを高速起動モードから省電力モードへ変更する。このとき、運転制御部２２３は、第１運転モード記憶部２３２ａが記憶する運転モードを省電力モードに更新する。その後、ステップＳ５１の処理が実行される。
【０１０２】
ところで、デジタルレコーダ２００には、例えば省電力モード時において宅内通信部２０４および通信制御部２２１を動作させないようにして宅内通信部２０４での消費電力を低減する構成が考えられる。これに対して、本実施の形態に係るデジタルレコーダ２００によれば、省電力モード時において宅内通信部２０４および通信制御部２２１が動作しない場合であっても定期的に宅内通信部２０４および通信制御部２２１を起動して運転モードの確認を行う。これにより、例えば省電力モード時に宅内通信部２０４への電力供給を遮断する構成であっても、必要に応じて高速起動モードに変更することができるので、利便性を維持しつつ消費電力の低減を図ることができる。
【０１０３】
以上、本発明の実施の形態について説明したが、本発明は実施の形態によって限定されるものではない。
【０１０４】
実施の形態１では、制御装置１００が、高速起動モードを示す運転モード情報をデジタルレコーダ２００へ送信することにより、デジタルレコーダ２００が省電力モードから高速起動モードへ変更される例について説明した。但し、制御装置１００は、例えば省電力モードを示す運転モード情報を送信する際に、次に運転モードを高速運転モードへ変更する時刻を示す時刻情報を送信する構成であってもよい。この場合、制御装置１００は、例えば利用者予定テーブルＴＡ２１を参照して、利用者の帰宅時刻を取得し、利用者が外出し省電力モードを示す運転モード情報を送信する際に、利用者の帰宅時刻（運転モード変更時刻）を示す時刻情報を送信すればよい。そして、デジタルレコーダ２００は、運転モードを省電力モードに変更した後、制御装置１００から受信した時刻情報に基づいて、運転モードを高速起動モードへ変更すればよい。また、変更時刻を計時するタイマ２０２ａとしては、省電力モード時においても動作するタイマを用いればよい。この場合、制御部２０２は、制御装置１００から受信した運転モード情報により指示された省電力運転モードでデジタルレコーダ２００を動作させた後、時刻情報により示された時刻に到達したことを検知すると、デジタルレコーダ２００の運転モードを高速運転モードに戻す。
【０１０５】
例えばデジタルレコーダ２００が、省電力モード時において宅内通信部２０４および通信制御部２２１を動作させないようにして、宅内通信部２０４での消費電力を低減する構成であるとする。この場合、制御装置１００がデジタルレコーダ２００へ宅内ネットワークＮＴ１を通じて運転モード情報を送信してもデジタルレコーダ２００は運転モード情報を受信できない。
これに対して、本構成によれば、デジタルレコーダ２００は、省電力モード時に宅内ネットワークＮＴ１と接続できない構成であっても、利用者の帰宅時刻になると運転モードを高速運転モードに変更できる。つまり、制御装置１００は、デジタルレコーダ２００の運転モードを、利用者の予定に適した形で変更させることができる。また、デジタルレコーダ２００は、省電力モード時において宅内ネットワークＮＴ１と接続するために宅内通信部２０４へ供給する電力を節約できるので、デジタルレコーダ２００の消費電力の低減を図ることができる。
【０１０６】
実施の形態１では、利用者の在宅状況が外出中または在宅中の２種類である例について説明したが、例えば、利用者が起きて活動しているのか、利用者が就寝中なのかを判定する構成であってもよい。この場合、選択部１２７は、例えば利用者の装着している活動量計等から得られる活動状況を示す活動情報に基づいて、利用者が起きて活動しているのか就寝中なのかを判定するようにしてもよい。或いは、選択部１２７が、利用者の就寝予定に基づいて就寝中に省電力モードに変更する構成であってもよい。この場合、予定記憶部１１２は、利用者の就寝期間を示す予定情報テーブルを記憶する。そして、選択部１２７は、利用者が就寝する時刻に到達したことを検知すると、省電力モードを選択するようにすればよい。また、選択部１２７は、利用者が起床する時刻に到達したことを検知すると、高速起動モードを選択するようにすればよい。
【０１０７】
本構成によれば、選択部１２７は、利用者の就寝予定に応じて被制御機器の運転モードを選択することができるので、利用者が活動する時間帯における被制御機器の利便性維持を図るとともに、利用者の就寝期間中における被制御機器での消費電力の低減を図ることができる。
【０１０８】
実施の形態２および３に係るデジタルレコーダ２００は、高速起動モードでの録画が終了しても自動的に運転モードを省電力モードへ変更する処理を実行しない例について説明したが、高速起動モードでの録画終了直後に自動的に運転モードを省電力モードへ変更する構成であってもよい。
【０１０９】
実施の形態１から４では、制御装置１００がデジタルレコーダ２００へ宅内ネットワークＮＴ１を通じて運転モード情報を送信する例について説明したが、デジタルレコーダ２００への運転モード情報の送信方法はこれに限定されるものではない。例えば、制御装置１００は、運転モード情報を含む赤外線信号を送信する赤外線送信器（図示せず）を備えるものであってもよい。この場合、デジタルレコーダ２００は、例えばリモコン等から発信される赤外線信号を受信する赤外線受信器（図示せず）を備える構成とし、赤外線受信器を介して運転モード情報を取得するようにすればよい。
【０１１０】
本構成によれば、デジタルレコーダ２００として、省電力モード時に、宅内通信部２０４の機能を停止させて赤外線受信器の機能のみ維持するようにして消費電力の低減を図ったものを採用することができる。
【０１１１】
実施の形態３では、携帯端末４００から受信した録画指令情報に録画終了時刻が含まれており、送信部１２８が、録画指令情報をデジタルレコーダ２００へ送信する例について説明したが、デジタルレコーダ２００へ録画終了時刻を通知する方法はこれに限定されない。例えば、録画指令情報が録画対象となる番組を識別する番組識別情報を含む場合、制御装置１００は、携帯端末４００から受信した録画指令情報に含まれる番組識別情報に基づいて、宅外通信部１０４を介して外部の番組サーバ（図示せず）から録画終了時刻を取得する構成であってもよい。
【０１１２】
実施の形態２および３では、デジタルレコーダ２００が、録画処理終了後、制御装置１００へ運転モードの問合せ要求を行う例について説明したが、必ずしもデジタルレコーダ２００が問合せ要求を行う構成に限定されない。例えば、デジタルレコーダ２００が、録画処理終了後、直ちに制御装置１００へ録画処理の終了を通知する録画終了通知情報を送信する構成であってもよい。この場合、制御装置１００では、通信制御部１２１がデジタルレコーダ２００から終了通知情報を受信すると、送信部１２８が省電力モードを示す運転モード情報をデジタルレコーダ２００へ送信するようにすればよい。
【０１１３】
実施の形態３に係る制御装置１００は、携帯端末４００から録画指令を受信した場合、高速起動モードを示す運転モード情報および録画指令情報をデジタルレコーダ２００へ送信する例について説明したが、携帯端末４００から受信する指令および被制御機器の種類はこれに限定されない。例えば、制御装置１００が、携帯端末４００からＤＬＮＡ（Ｄｉｇｉｔａｌ  Ｌｉｖｉｎｇ  Ｎｅｔｗｏｒｋ  Ａｌｌｉａｎｃｅ）の認定を受けた機器（認定機器）に対するサーバとして機能する旨の指令を受信した場合に、認定機器へ高速起動モードを示す運転モード情報を送信してもよい。
【０１１４】
実施の形態２では、デジタルレコーダ２００が自機の録画時刻記憶部２３１に記憶されている録画開始時刻および録画終了時刻に基づいて、録画開始および録画終了を行う例について説明したが、例えば制御装置１００が、デジタルレコーダ２００の録画を制御する構成であってもよい。
【０１１５】
本変形例に係る制御装置１００は、実施の形態２に係る制御装置１００と同様の構成を有し、予定記憶部１１２が、利用者予定テーブルＴＡ２１に加えて、被制御機器それぞれに関する制御予定を示す制御予定テーブルＴＡ２２を記憶する点が実施の形態２とは相違する。
【０１１６】
制御予定テーブルＴＡ２２は、例えば図１８に示すように、制御の開始時刻および終了時刻、利用者識別情報、被制御機器の機器識別情報および制御内容を示す識別番号が対応づけられた形で記録されている。
【０１１７】
本変形例に係る制御装置１００の制御部１０２が実行する省電力制御処理について、図１９を参照しながら説明する。ここで、制御部１０２は、実施の形態１で説明した在宅状況情報更新処理を、省電力制御処理と並行して実行する。なお、図１９において、実施の形態１と同様の処理については、図１０と同一の符号を付している。
まず、選択部１２７は、ステップＳ２０１からステップＳ２０６の処理を実行した後、録画開始時刻に到達したか否かを判定する（ステップＳ６０１）。具体的には、選択部１２７は、判定対象時刻（現時刻）が、制御予定テーブルＴＡ２２に記録されている開始時刻と一致するか否かを判定する。
【０１１８】
ステップＳ６０１において、録画開始時刻に到達していないと判定されると（ステップＳ６０１：Ｎｏ）、再びステップＳ２０１以降の処理が実行される。一方、ステップＳ６０１において、録画開始時刻に到達したと判定されると（ステップＳ６０１：Ｙｅｓ）、選択部１２７は、運転モード取得要求をデジタルレコーダ２００へ送信する（ステップＳ６０２）。
【０１１９】
次に、選択部１２７は、デジタルレコーダ２００から運転モード情報を受信したか否かを判定する（ステップＳ６０３）。ステップＳ６０３において、運転モードを受信していないと判定されると（ステップＳ６０３：Ｎｏ）、再びステップＳ２０１の処理が実行される。一方、ステップＳ６０３において、運転モードを受信したと判定されると（ステップＳ６０３：Ｙｅｓ）、選択部１２７は、受信した運転モード情報が高速起動モードを示しているか否かを判定する（ステップＳ６０４）。受信した運転モード情報は、デジタルレコーダ２００が高速起動モードで動作している場合、高速起動モードを示し、デジタルレコーダ２００が省電力モードで動作している場合、省電力モードを示す。
【０１２０】
ステップＳ６０４において、受信した運転モード情報が高速起動モードを示していると判定されると（ステップＳ６０４：Ｙｅｓ）、そのまま後述のステップＳ６０６の処理が実行される。一方、受信した運転モード情報が省電力モードを示していると判定されると（ステップＳ６０４：Ｎｏ）、送信部１２８は、高速起動モードを示す運転モード情報を、デジタルレコーダ２００へ送信する（ステップＳ６０５）。デジタルレコーダ２００は、運転モード情報を受信すると、運転モードを省電力モードから高速起動モードへ変更する。
【０１２１】
続いて、選択部１２７は、録画指令をデジタルレコーダ２００へ送信する（ステップＳ６０６）。デジタルレコーダ２００は、録画指令を受信すると、録画処理を開始する。
【０１２２】
その後、選択部１２７は、録画終了時刻に到達したか否かを判定する（ステップＳ６０７）。具体的には、選択部１２７は、判定対象時刻（現時刻）が制御予定テーブルＴＡ２２に記録されている終了時刻に到達しているか否かを判定する。選択部１２７は、録画終了時刻に到達しない限り（ステップＳ６０７：Ｎｏ）、ステップＳ６０７の処理を繰り返す。一方、ステップ６０７において、録画終了時刻に到達したと判定されると（ステップＳ６０７：Ｙｅｓ）、選択部１２７は、録画を停止させる旨の録画停止指令をデジタルレコーダ２００へ送信する（ステップＳ６０８）。
【０１２３】
次に、選択部１２７は、在宅状況情報テーブルＴＡ１１に記録されている在宅状況情報を取得する（ステップＳ６０９）。
【０１２４】
続いて、選択部１２７は、取得した在宅状況情報に基づいて、利用者が帰宅しているか否かを判定する（ステップＳ６１０）。ステップＳ６１０において、利用者が帰宅していると判定されると（ステップＳ６１０：Ｙｅｓ）、そのままステップＳ２０１の処理が実行される。一方、ステップＳ６１０において、利用者が外出中であると判定されると（ステップＳ６１０：Ｎｏ）、送信部１２８は、省電力モードを示す運転モード情報をデジタルレコーダ２００へ送信する（ステップＳ６１１）。デジタルレコーダ２００は、運転モード情報を受信すると、運転モードを高速起動モードから省電力モードへ変更する。その後、再びステップＳ２０１の処理が実行される。
【０１２５】
本構成によれば、制御装置１００が、デジタルレコーダ２００の録画処理の制御を実行するので、デジタルレコーダ２００において自発的に運転モードの変更や録画処理等を実行する必要がない。従って、デジタルレコーダ２００の制御部２０２の機能を省略することができるので、デジタルレコーダ２００の構成の簡素化による消費電力の低減を図ることができる。
【０１２６】
なお、制御予定テーブルＴＡ２２が、更に、制御予定を識別する予定識別情報と、予定名称と、が記録されたものであれば、制御装置１００は、録画開始時に予定識別情報と、予定名称とを示す情報をデジタルレコーダ２００へ送信するようにしてもよい。この場合、デジタルレコーダ２００は、制御装置１００から受信した予定名称を表示するとともに、予定識別情報に基づいて制御内容を表示するようにすることができる。本構成によれば、利用者は、デジタルレコーダ２００の録画処理中に帰宅した場合に、録画処理の内容を確認することができる。
【０１２７】
実施の形態１において、予定管理部１２２が、例えば情報通信端末３００からの予定設定要求を受信したときに利用者の認証を実行する構成であってもよい。
【０１２８】
本変形例に係る制御装置８００は、図２０に示すように、利用者認証用の認証テーブルＴＡ４１を記憶する設定情報記憶部８１４と、情報通信端末３００からの予定設定要求に応じて、利用者予定テーブルＴＡ２１を更新するためのユーザインタフェースを提供する提供部８２９と、を備える。予定管理部８２２は、実施の形態１で説明した機能に加えて、利用者の認証を行う機能を有する。機器管理部８２３は、実施の形態１で説明した機能に加えて、利用者の認証状況に応じて機器情報テーブルＴＡ３１を更新する機能を有する。なお、図２０において、実施の形態１と同様の構成については図６と同一の符号を付している。
【０１２９】
設定情報記憶部８１４は、認証テーブルＴＡ４１の他に、利用者予定テーブルＴＡ２１の内容を更新するためのユーザインタフェースとなるログイン用ウェブページ情報および予定入力用ウェブページ情報も記憶する。認証テーブルＴＡ４１は、例えば図２１に示すように、利用者のログイン名とパスワードとが利用者識別情報と対応づけられた形で記録されている。
【０１３０】
本変形例に係る制御装置８００の制御部８０２が実行する予定設定処理について、図２２を参照しながら説明する。ここで、制御部８０２は、実施の形態１で説明した在宅状況情報更新処理および省電力制御処理を、予定設定処理と並行して実行する。なお、ここでは、情報通信端末３００が、制御装置１００へ予定設定要求を送信するとして説明する。
まず、提供部８２９は、情報通信端末３００から予定設定要求を受信したか否かを判定する（ステップＳ８０１）。提供部８２９は、予定設定要求を受信しない限り（ステップＳ８０１：Ｎｏ）、ステップＳ８０１の処理を繰り返す。一方、ステップＳ８０１において、予定設定要求を受信すると（ステップＳ８０１：Ｙｅｓ）、提供部８２９は、設定情報記憶部８１４から取得したログイン用ウェブページ情報を、情報通信端末３００へ送信する（ステップＳ８０２）。
【０１３１】
次に、予定管理部８２２は、利用者が情報通信端末３００からログイン名およびパスワードからなるログイン情報を入力したか否かを判定する（ステップＳ８０３）。具体的には、予定管理部８２２は、情報通信端末３００からログイン情報を受信したか否かを判定する。ログイン情報は、例えば利用者が情報通信端末３００の画面に表示されるログイン用ウェブページ上でログイン情報を入力してから画面に表示される入力完了釦を操作すると、制御装置８００へ送信される。予定管理部８２２は、ログイン情報が入力されない限り（ステップＳ８０３：Ｎｏ）、ステップＳ８０３の処理を繰り返す。一方、ステップＳ８０３において、ログイン情報が入力されたと判定されると（ステップＳ８０３：Ｙｅｓ）、予定管理部８２２は、入力されたログイン情報と、認証テーブルＴＡ４１に記録されているログイン情報とを照合し（ステップＳ８０４）、正常に認証されたか否かを判定する（ステップＳ８０５）。
【０１３２】
ステップＳ８０５において、正常に認証されなかったと判定されると（ステップＳ８０５：Ｎｏ）、予定管理部８２２は、情報通信端末３００へエラーメッセージを送信する（ステップＳ８０６）。続いて、機器管理部８２３は、機器情報テーブルＴＡ３１から情報通信端末３００に関する機器情報を削除する形で機器情報テーブルＴＡ３１を更新する（ステップＳ８０７）。その後、再びステップＳ８０１の処理が実行される。
【０１３３】
一方、ステップＳ８０５において、正常に認証されたと判定されると（ステップＳ８０５：Ｙｅｓ）、提供部８２９は、設定情報記憶部８１４から取得した予定入力用ウェブページ情報を情報通信端末３００へ送信する（ステップＳ８０８）。
【０１３４】
次に、予定管理部８２２は、利用者が情報通信端末３００から自身の予定を入力したか否かを判定する（ステップＳ８０９）。具体的には、予定管理部８２２は、情報通信端末３００から利用者の予定に関する情報を受信したか否かを判定する。予定に関する情報は、例えば利用者が情報通信端末３００の画面に表示される予定入力用ウェブページ上で予定に関する情報を入力してから画面に表示される入力完了釦を操作すると、制御装置８００へ送信される。ステップＳ８０９において、利用者が予定を入力していないと判定されると（ステップＳ８０９：Ｎｏ）、そのまま後述のステップＳ８１１の処理が実行される。一方、ステップＳ８０９において、利用者が予定を入力したと判定されると（ステップＳ８０９：Ｙｅｓ）、予定管理部８２２は、入力された利用者の予定を利用者予定テーブルＴＡ２１に記録し（ステップＳ８１０）、その後、情報通信端末３００から予定入力終了指令を受信したか否かを判定する（ステップＳ８１１）。
【０１３５】
ステップＳ８１１において、予定入力終了指令を受信していないと判定されると（ステップＳ８１１：Ｎｏ）、再びステップＳ８０９の処理が実行される。一方、ステップＳ８１１において、予定入力終了指令を受信したと判定されると（ステップＳ８１１：Ｙｅｓ）、機器管理部８２３は、機器情報テーブルＴＡ３１から情報通信端末３００に関する機器情報を削除する形で機器情報テーブルＴＡ３１を更新する（ステップＳ８１２）。その後、再びステップＳ８０１の処理が実行される。
【０１３６】
本構成によれば、情報通信端末３００からの利用者の予定入力において、利用者が正常に認証されなかった場合、情報通信端末３００が機器情報テーブルＴＡ３１から削除される。これにより、例えば正規の利用者以外の他の利用者が、正規の利用者になりすまして利用者の予定入力を行うことを抑制できるので、利用者予定テーブルＴＡ２１のセキュリティ向上を図ることができる。また、情報通信端末３００が正常に認証されなかった場合、或いは、情報通信端末３００からの利用者の予定入力が終了した場合、機器管理部８２３は、機器情報テーブルＴＡ３１から情報通信端末３００に関する機器情報を削除する。これにより、デジタルレコーダ２００等の被制御機器が、無駄に高速起動モードで動作するのを抑制できるので、被制御機器の消費電力の低減を図ることができる。
【０１３７】
実施の形態１では、デジタルレコーダ２００の記憶部２０１が、録画開始時刻と録画終了時刻とを記憶する録画時刻記憶部２３１を備える例について説明したが、例えば録画開始時刻と録画期間とを記憶する期間情報記憶部を備える構成であってもよい。そして、制御部２０２は、期間情報記憶部が記憶する録画開始時刻に到達したことを検知すると、デジタルレコーダ２００を高速起動モードで動作させるようにしてもよい。
【０１３８】
なお、設定情報記憶部８１４は、電気料金体系情報を記憶してもよい。この場合、制御装置８００は、電気料金体系に基づいてデジタルレコーダ２００へ運転モード情報を送信する構成とすることができる。また、設定情報記憶部８１４は、Ｗｉ−Ｆｉ（登録商標）等の使用する通信規格に適合した暗号化方式等を含む通信設定情報を記憶してもよい。この場合、制御装置８００は、通信設定情報に基づいて新たに宅内ネットワークＮＴ１に接続された機器を検出することができる。
【０１３９】
実施の形態１では、在宅状況情報テーブルＴＡ１１は、利用者識別情報と帰宅フラグとが記録されていたが、記録される情報はこれに限定されるものではない。例えば、在宅状況情報テーブルが、更に、利用者の名称、利用者の使用する携帯端末４００の機器識別情報および利用者の電子メールアドレスが記録されたものであってもよい。この場合、制御装置１００は、例えば機器情報テーブルＴＡ３１を参照して、在宅中の利用者が所持する携帯端末４００の機器識別情報に基づいて、在宅中の利用者が使用しうる被制御機器を特定する。そして、制御装置１００は、在宅中の利用者が使用しうる被制御機器の機器識別情報を、在宅中の利用者の名称とともに、宅外ネットワークＮＴ２を介して、利用者全員の電子メールアドレス宛に送信するようにしてもよい。携帯端末４００が、機器識別情報と機器の名称とを対応づける機器名称テーブル（図示せず）を有する構成とすれば、例えば外出中の利用者は、在宅中の利用者の名称と、在宅中の利用者が使用しうる被制御機器の名称とを、携帯端末４００で確認することができる。
【０１４０】
各実施の形態では、利用者の予定または利用者の所持する携帯端末４００の宅内ネットワークＮＴ１への接続状況に基づいて、利用者の在宅状況を判定する例について説明したが、利用者の在宅状況を判定する方法はこれに限定されるものではない。例えば、住戸Ｈ内に人感センサ（図示せず）を設置し、制御装置は、人感センサから定期的に検知情報を取得するようにしてもよい。この場合、選択部は、人感センサの人の検知情報に基づいて、デジタルレコーダ等の被制御機器の運転モードを変更するか否かを判定する構成とすればよい。具体的には、選択部は、例えば人感センサが予め定められた基準時間以上人を検知しなくなった場合、利用者が外出中であると判定するようにすればよい。なお、住戸Ｈが複数の部屋を備える場合、部屋単位で利用者の在宅状況を管理するようにしてもよい。
【０１４１】
或いは、住戸Ｈで使用される消費電力量を計測する電力量計を設置し、制御装置は、電力量計から定期的に電力量データを取得するようにしてもよい。この場合、選択部は、電力量計で計測される電力量に基づいて、デジタルレコーダ等の被制御機器の運転モードを変更するか否かを判定する構成とすればよい。具体的には、選択部は、例えば電力量が予め定められた基準時間以上の期間、予め定められた電力量閾値以下の状態が継続すると、利用者が外出中であると判定するようにすればよい。そして、選択部は、電力量が予め定められた基準時間以上の期間、予め定められた電力量閾値を超えた状態が継続すると、利用者が帰宅していると判定するようにすればよい。
【０１４２】
各実施の形態では、被制御機器としてデジタルレコーダ２００、テレビジョン受信機９００を挙げて説明したが、被制御機器の種類はこれに限定されるものではない。複数の消費電力の異なる運転モードを有する他の種類の機器であってもよい。
【０１４３】
実施の形態１では、制御装置１００が、運転モード情報を、宅内ネットワークＮＴ１を通じてデジタルレコーダ２００へ送信する例について説明したが、運転モード情報の送信方法はこれに限定されるものではない。例えば、制御装置１００が、運転モード情報を、宅外ネットワークＮＴ２を通じてデジタルレコーダ２００へ送信する構成でもよい。この場合、例えば住戸Ｈ内に、宅内ネットワークＮＴ１および宅外ネットワークＮＴ２に接続されたブロードバンドルータ（図示せず）を設置すればよい。ブロードバンドルータは、制御装置１００から宅外ネットワークＮＴ２を通じて受信した運転モード情報を、宅内ネットワークＮＴ１を通じてデジタルレコーダ２００へ送信することができる。本構成によれば、制御装置１００、５００について宅内通信部１０３を省略することができるので、制御装置１００、５００の構成の簡素化を図ることができる。
【０１４４】
実施の形態１では、制御装置１００が、宅外ネットワークＮＴ２に接続された宅外通信部１０４を備える例について説明したが、必ずしも宅外通信部１０４を備える構成に限定されるものではない。例えば住戸Ｈ内にブロードバンドルータ（図示せず）が設置される場合、制御装置１００は、ブロードバンドルータ(図示せず)に接続された宅内通信部１０３を介して宅外ネットワークＮＴ２に接続すればよい。この場合、携帯端末４００から送信される録画指令等の制御情報を、ブロードバンドルータおよび宅内通信部１０３を通じて取得することができる。
【０１４５】
また、本発明に係る制御装置１００の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する制御装置１００を構成してもよい。
【０１４６】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する制御装置１００として機能する。
【０１４７】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【０１４８】
本発明は、消費電力が異なる複数の運転モードで動作する機器の運転モードを制御する制御装置、消費電力が異なる複数の運転モードで動作する機器、制御方法、そのためのプログラムなどに好適に利用することができる。
【符号の説明】
【０１４９】
１００，５００，８００：制御装置、１０１、２０１：記憶部、１０２，２０２，８０２：制御部、１０２ａ，２０２ａ：タイマ、１０３，２０４：宅内通信部、１０４：宅外通信部、１１１：在宅状況情報記憶部、１１２：予定記憶部、１１３：接続機器情報記憶部、１２１，２２１：通信制御部、１２２，８２２：予定管理部、１２３，８２３：機器管理部、１２４：更新部、１２６：機器制御部、１２７：選択部、１２８：送信部、２００：デジタルレコーダ、２０５：録画回路、２２２：運転管理部、２２３：運転制御部、２３１：録画時刻記憶部、２３２ａ：第１運転モード記憶部、２３２ｂ：第２運転モード記憶部、３００：情報通信端末、４００：携帯端末、８１４：設定情報記憶部、８２９：提供部、９００：テレビジョン受信機、１０００：制御システム、Ｌ１  信号線、ＮＴ１：宅内ネットワーク、ＮＴ２：宅外ネットワーク、ＴＡ１１：在宅状況情報テーブル、ＴＡ２１：利用者予定テーブル、ＴＡ２２：制御予定テーブル、ＴＡ３１：機器情報テーブル、ＴＡ４１：認証テーブル、ＴＡ９１：録画時刻テーブル
【図１】
0006555888.tif 000002
【図２】
0006555888.tif 000003
【図３】
0006555888.tif 000004
【図４】
0006555888.tif 000005
【図５】
0006555888.tif 000006
【図６】
0006555888.tif 000007
【図７】
0006555888.tif 000008
【図８】
0006555888.tif 000009
【図９】
0006555888.tif 000010
【図１０】
0006555888.tif 000011
【図１１】
0006555888.tif 000012
【図１２】
0006555888.tif 000013
【図１３】
0006555888.tif 000014
【図１４】
0006555888.tif 000015
【図１５】
0006555888.tif 000016
【図１６】
0006555888.tif 000017
【図１７】
0006555888.tif 000018
【図１８】
0006555888.tif 000019
【図１９】
0006555888.tif 000020
【図２０】
0006555888.tif 000021
【図２１】
0006555888.tif 000022
【図２２】
0006555888.tif 000023